【手続補正書】
【提出日】平成29年2月22日(2017.2.22)
【手続補正１】
【補正対象書類名】明細書
【補正対象項目名】００３０
【補正方法】変更
【補正の内容】
【００３０】
本明細書において、本発明の或る特定の特徴だけが図示及び説明されてきたが、当業者には多くの変更及び変形が思い浮かぶであろう。それゆえ、添付の特許請求の範囲は、本発明の真の趣旨に入る全てのこのような変更及び変形を包含することを意図していることを理解されたい。
なお、本発明は以下の特徴を以って実施することができる。
［特徴１］
金属製作リソースのパフォーマンス追跡方法であって、
金属製作リソースから遠隔にあるウェブベースシステムを介して、前記金属製作リソースの金属製作動作中にサンプリングされるパラメーターを表すデータにアクセスすることと、
少なくとも１つのコンピュータープロセッサを介して、前記パラメーターのグラフトレースを生成することと、
前記少なくとも１つのコンピュータープロセッサを介して、ユーザー閲覧可能レポートページを、前記トレースを表す図形表示を用いて作成することと、
前記ユーザー閲覧可能レポートページをユーザーに送信することとを含む金属製作リソースのパフォーマンス追跡方法。
［特徴２］
前記金属製作動作中にサンプリングされる複数のパラメーターのデータにアクセスすることと、前記複数のパラメーターのそれぞれについてグラフトレースを生成することと、を含み、前記ユーザー閲覧可能レポートページは、前記金属製作動作の持続時間にわたって前記複数のパラメーターのそれぞれを表す図形表示を含む特徴１に記載の方法。
［特徴３］
前記複数のパラメーターは、電圧、電流及びワイヤ送給速度からなる群から選択される少なくとも２つのパラメーターを含む特徴２に記載の方法。
［特徴４］
前記ユーザー閲覧可能レポートページは、複数の金属製作リソースを特定する表示を含み、前記ステップは、前記特定する表示により前記ユーザーによって選択された金属製作リソースに対して実行される特徴１に記載の方法。
［特徴５］
前記データはクラウドリソース内に記憶される特徴１に記載の方法。
［特徴６］
クラウドリソースにおいて前記グラフトレースが生成され、及び前記ユーザー閲覧可能レポートページが作成される特徴１に記載の方法。
［特徴７］
前記ユーザー閲覧可能レポートページはブラウザーにおいて閲覧可能なウェブページを含む特徴１に記載の方法。
［特徴８］
前記データは複数の金属製作動作について記憶され、前記ユーザーに送信される少なくとも１つのユーザー閲覧可能ページは、前記ユーザー閲覧可能レポートページについて特定の金属製作動作のユーザー選択を受信するように構成される特徴１に記載の方法。
［特徴９］
前記データは複数の金属製作動作について記憶され、前記ユーザーに送信される少なくとも１つのユーザー閲覧可能ページは、前記ユーザー閲覧可能レポートページについて特定の金属製作リソースのユーザー選択を受信するように構成される特徴１に記載の方法。
［特徴１０］
前記ユーザー閲覧可能レポートページは、前記金属製作リソース及び前記金属製作動作を特定する表示を含む特徴１に記載の方法。
［特徴１１］
金属製作リソースのパフォーマンス追跡システムであって、
ウェブベースの通信コンポーネントであって、動作時に、該通信コンポーネントから遠隔にある金属製作リソースの金属製作動作中にサンプリングされるパラメーターを表すデータにアクセスする、ウェブベースの通信コンポーネントと、
動作時に、前記アクセスされたパラメーターのグラフトレースを生成し、ユーザー閲覧可能レポートページを、前記トレースを表す図形表示を用いて作成する、少なくとも１つのコンピュータープロセッサと、
動作時に、前記ユーザー閲覧可能レポートページをユーザーに移行するウェブベースの送信コンポーネントとを備える金属製作リソースのパフォーマンス追跡システム。
［特徴１２］
前記通信コンポーネントは、前記金属製作動作中にサンプリングされる複数のパラメーターを表すデータにアクセスし、前記少なくとも１つのコンピュータープロセッサは、前記複数のパラメーターのそれぞれのトレースを生成し、前記ユーザー閲覧可能レポートページを、前記トレースのそれぞれを表す図形表示を用いて作成する特徴１１に記載のシステム。
［特徴１３］
前記パラメーターは、電圧、電流及びワイヤ送給速度のうちの少なくとも１つを含む特徴１１に記載のシステム。
［特徴１４］
前記ユーザー閲覧可能レポートページは、複数の金属製作リソースを特定する表示を含み、前記特定する表示により前記ユーザーによって選択される金属制御リソースに対して前記トレースが生成され、前記レポートが作成される特徴１１に記載のシステム。
［特徴１５］
前記データはクラウドベースのデータ記憶システムからアクセスされる特徴１１に記載のシステム。
［特徴１６］
前記少なくとも１つのコンピュータープロセッサはクラウドベースのシステムを備える特徴１１に記載のシステム。
［特徴１７］
金属製作リソースのパフォーマンス監視インターフェースであって,
ウェブベースのコンポーネントを介してユーザー閲覧デバイスに送信されるコンピューター実行コードによって定義される少なくとも１つのユーザー閲覧可能レポートページであって、該レポートページは、少なくとも１つの金属製作リソースと、関心対象の期間と、前記金属製作動作中の時間に対する、関心対象の金属製作リソースに対して実行された金属製作動作のサンプリングされたパラメーターの少なくとも１つのグラフトレースとを特定するユーザーが閲覧可能な表示を含む、金属製作リソースのパフォーマンス監視インターフェース。
［特徴１８］
前記コードは汎用ブラウザーにおける閲覧のためにプロセッサによって実行可能である特徴１７に記載のインターフェース。
［特徴１９］
前記ユーザー閲覧可能レポートページは、前記トレースの生成のための複数の金属製作リソースのうちの任意の１つのユーザー選択を受信するように構成される特徴１７に記載のインターフェース。
［特徴２０］
ユーザーが、実行された複数の金属製作動作から金属製作動作履歴を選択することを可能にするように構成された少なくとも１つのユーザー閲覧可能ページを含み、前記ユーザー閲覧可能レポートは、前記金属製作動作履歴のうちの選択されたものについて生成、送信される特徴１７に記載のインターフェース。
【手続補正２】
【補正対象書類名】特許請求の範囲
【補正対象項目名】全文
【補正方法】変更
【補正の内容】
【特許請求の範囲】
【請求項１】
金属製作リソースのパフォーマンス追跡方法において、
金属製作リソースから遠隔にあるウェブベースシステムを介して、前記金属製作リソースの金属製作動作中にサンプリングされるパラメーターを表すデータにアクセスすることと、
少なくとも１つのコンピュータープロセッサを介して、前記パラメーターのグラフトレースを生成することと、
前記少なくとも１つのコンピュータープロセッサを介して、ユーザー閲覧可能レポートページを、前記トレースを表す図形表示を用いて作成することと、
前記ユーザー閲覧可能レポートページをユーザーに送信することとを含む金属製作リソースのパフォーマンス追跡方法。
【請求項２】
金属製作リソースのパフォーマンス追跡システムにおいて、
ウェブベースの通信コンポーネントであって、動作時に、該通信コンポーネントから遠隔にある金属製作リソースの金属製作動作中にサンプリングされるパラメーターを表すデータにアクセスするウェブベースの通信コンポーネントと、
動作時に、前記アクセスされたパラメーターのグラフトレースを生成し、ユーザー閲覧可能レポートページを、前記トレースを表す図形表示を用いて作成する、少なくとも１つのコンピュータープロセッサと、
動作時に、前記ユーザー閲覧可能レポートページをユーザーに移行するウェブベースの送信コンポーネントとを備える金属製作リソースのパフォーマンス追跡システム。
【請求項３】
金属製作リソースのパフォーマンス監視インターフェースにおいて、
ウェブベースのコンポーネントを介してユーザー閲覧デバイスに送信されるコンピューター実行コードによって定義される少なくとも１つのユーザー閲覧可能レポートページであって、該レポートページは、少なくとも１つの金属製作リソースと、関心対象の期間と、前記金属製作動作中の時間に対する、関心対象の金属製作リソースに対して実行された金属製作動作のサンプリングされたパラメーターの少なくとも１つのグラフトレースとを特定するユーザーが閲覧可能な表示を含む、金属製作リソースのパフォーマンス監視インターフェース。